(57)【特許請求の範囲】
【請求項１】
視聴時間帯ごとにスポンサーがついている放送コンテンツの視聴要求を受信する視聴要求受信手段と、
前記視聴要求受信手段が前記視聴要求を受信すると、前記放送コンテンツの動画ファイルを配信する放送コンテンツ配信装置のアドレス情報、及び、視聴時間における前記スポンサーのＣＭ（commercial message）コンテンツの動画ファイルを配信するＣＭ配信装置のアドレス情報を含むコンテンツ情報を返信する返信手段と、
を有し、
前記ＣＭ配信装置は、前記ＣＭコンテンツの動画ファイルの要求を受信すると、当該要求に応じて前記視聴時間を取得し、当該視聴時間における前記スポンサーの前記ＣＭコンテンツの動画ファイルを検索し、検索した前記ＣＭコンテンツの動画ファイルを返信する管理装置。
【請求項２】
請求項１に記載の管理装置において、
前記ＣＭ配信装置は、前記ＣＭコンテンツの動画ファイルの要求を受信すると、当該要求に応じて前記視聴時間を取得し、当該視聴時間における前記スポンサーの当該視聴時間に対応した前記ＣＭコンテンツの動画ファイルを検索し、検索した前記ＣＭコンテンツの動画ファイルを返信する管理装置。
【請求項３】
視聴時間帯ごとにスポンサーがついている放送コンテンツに付随して表示されるＣＭコンテンツの動画ファイルの要求を受信すると、当該要求に応じて視聴時間を取得し、当該視聴時間における前記スポンサーの前記ＣＭコンテンツの動画ファイルを検索し、検索した前記ＣＭコンテンツの動画ファイルを返信するＣＭ配信装置。
【請求項４】
請求項３に記載のＣＭ配信装置において、
前記ＣＭコンテンツの動画ファイルの要求を受信すると、当該要求に応じて前記視聴時間を取得し、当該視聴時間における前記スポンサーの当該視聴時間に対応した前記ＣＭコンテンツの動画ファイルを検索し、検索した前記ＣＭコンテンツの動画ファイルを返信するＣＭ配信装置。
【請求項５】
コンピュータが、
視聴時間帯ごとにスポンサーがついている放送コンテンツの視聴要求を受信する視聴要求受信工程と、
前記視聴要求受信工程で前記視聴要求を受信すると、前記放送コンテンツの動画ファイルを配信する放送コンテンツ配信装置のアドレス情報、及び、視聴時間における前記スポンサーのＣＭコンテンツの動画ファイルを配信するＣＭ配信装置のアドレス情報を含むコンテンツ情報を返信する返信工程と、
を実行し、
前記ＣＭ配信装置は、前記ＣＭコンテンツの動画ファイルの要求を受信すると、当該要求に応じて前記視聴時間を取得し、当該視聴時間における前記スポンサーの前記ＣＭコンテンツの動画ファイルを検索し、検索した前記ＣＭコンテンツの動画ファイルを返信する管理方法。
【請求項６】
コンピュータを、
視聴時間帯ごとにスポンサーがついている放送コンテンツの視聴要求を受信する視聴要求受信手段、
前記視聴要求受信手段が前記視聴要求を受信すると、前記放送コンテンツの動画ファイルを配信する放送コンテンツ配信装置のアドレス情報、及び、視聴時間における前記スポンサーのＣＭコンテンツの動画ファイルを配信するＣＭ配信装置のアドレス情報を含むコンテンツ情報を返信する返信手段、
として機能させ、
前記ＣＭ配信装置は、前記ＣＭコンテンツの動画ファイルの要求を受信すると、当該要求に応じて前記視聴時間を取得し、当該視聴時間における前記スポンサーの前記ＣＭコンテンツの動画ファイルを検索し、検索した前記ＣＭコンテンツの動画ファイルを返信するプログラム。
【請求項７】
コンピュータが、
視聴時間帯ごとにスポンサーがついている放送コンテンツに付随して表示されるＣＭコンテンツの動画ファイルの要求を受信すると、当該要求に応じて視聴時間を取得し、当該視聴時間における前記スポンサーの前記ＣＭコンテンツの動画ファイルを検索し、検索した前記ＣＭコンテンツの動画ファイルを返信するＣＭ配信方法。
【請求項８】
コンピュータに、
視聴時間帯ごとにスポンサーがついている放送コンテンツに付随して表示されるＣＭコンテンツの動画ファイルの要求を受信すると、当該要求に応じて視聴時間を取得し、当該視聴時間における前記スポンサーの前記ＣＭコンテンツの動画ファイルを検索し、検索した前記ＣＭコンテンツの動画ファイルを返信する処理を実行させるプログラム。
【発明の詳細な説明】
【技術分野】
【０００１】
本発明は、管理装置、ＣＭ配信装置、管理方法、及び、プログラムに関する。
【背景技術】
【０００２】
特許文献１に関連する技術が開示されている。特許文献１には、インターネット等のネットワーク上での広告の配信を管理する広告配信管理装置が開示されている。当該広告配信管理装置は、将来の広告配信先として予測される複数の配信対象ユーザのユーザ属性を含む情報を記憶する予測情報記憶手段と、ユーザ属性を指定した複数の注文要求を取得する取得手段と、取得手段により新たな注文要求が取得される毎に、当該新たな注文要求を含む複数の注文要求に対して配信対象ユーザを割り当てる割当手段と、を有する。
【先行技術文献】
【特許文献】
【０００３】
【特許文献１】特開２０１４−１７９１３２号
【発明の概要】
【発明が解決しようとする課題】
【０００４】
民放局でテレビ放送される放送コンテンツにはスポンサーがつく。そして、放送コンテンツのテレビ放送中に、当該スポンサーのＣＭコンテンツが放送される。スポンサーは、放送時間等を考慮し、十分なＣＭ効果を得られると考えられる放送コンテンツのスポンサーになる。例えば、ある商品のＣＭコンテンツを、その商品のターゲット層の視聴率が低い時間帯に放送するのは好ましくない。
【０００５】
ところで、近年、テレビ局等により、テレビ放送された放送コンテンツを、インターネットなどのネットワーク上で配信する試みがなされている。ネットワーク上で放送コンテンツを配信する場合にも、放送コンテンツにスポンサーがつき、所定のタイミングで当該スポンサーのＣＭコンテンツが表示される。
【０００６】
ネットワーク上で配信する放送コンテンツのスポンサーのつけ方としては、テレビ放送時と同様、放送コンテンツ単位とする手段が考えられる。そして、ユーザ端末上で放送コンテンツが再生される都度、当該スポンサーのＣＭコンテンツを表示する。
【０００７】
しかしながら、インターネット上で放送コンテンツを配信する場合、ユーザは、自分の見たいタイミングで放送コンテンツを視聴することとなる。すなわち、放送コンテンツが視聴される時間帯は様々である。このため、放送コンテンツ単位でスポンサーをつけ、放送コンテンツが再生される都度当該スポンサーのＣＭコンテンツを表示するという手法の場合、スポンサーが希望しない時間帯、例えばＣＭ効果が薄い時間帯にもスポンサーのＣＭコンテンツが表示されるという事態が発生し得る。
【０００８】
本発明は、放送コンテンツとＣＭコンテンツとを含む動画コンテンツをインターネットなどのネットワーク上で配信する際の新たな技術を提供することを課題とする。
【課題を解決するための手段】
【０００９】
本発明によれば、
視聴時間帯ごとにスポンサーがついている放送コンテンツの視聴要求を受信する視聴要求受信手段と、
前記視聴要求受信手段が前記視聴要求を受信すると、前記放送コンテンツの動画ファイルを配信する放送コンテンツ配信装置のアドレス情報、及び、視聴時間における前記スポンサーのＣＭコンテンツの動画ファイルを配信するＣＭ配信装置のアドレス情報を含むコンテンツ情報を返信する返信手段と、
を有し、
前記ＣＭ配信装置は、前記ＣＭコンテンツの動画ファイルの要求を受信すると、当該要求に応じて前記視聴時間を取得し、当該視聴時間における前記スポンサーの前記ＣＭコンテンツの動画ファイルを検索し、検索した前記ＣＭコンテンツの動画ファイルを返信する管理装置が提供される。
【００１０】
また、本発明によれば、
視聴時間帯ごとにスポンサーがついている放送コンテンツに付随して表示されるＣＭコンテンツの動画ファイルの要求を受信すると、当該要求に応じて視聴時間を取得し、当該視聴時間における前記スポンサーの前記ＣＭコンテンツの動画ファイルを検索し、検索した前記ＣＭコンテンツの動画ファイルを返信するＣＭ配信装置が提供される。
【００１１】
また、本発明によれば、
コンピュータが、
視聴時間帯ごとにスポンサーがついている放送コンテンツに付随して表示されるＣＭコンテンツの動画ファイルの要求を受信すると、当該要求に応じて視聴時間を取得し、当該視聴時間における前記スポンサーの前記ＣＭコンテンツの動画ファイルを検索し、検索した前記ＣＭコンテンツの動画ファイルを返信するＣＭ配信方法が提供される。
【００１２】
また、本発明によれば、
コンピュータに、
視聴時間帯ごとにスポンサーがついている放送コンテンツに付随して表示されるＣＭコンテンツの動画ファイルの要求を受信すると、当該要求に応じて視聴時間を取得し、当該視聴時間における前記スポンサーの前記ＣＭコンテンツの動画ファイルを検索し、検索した前記ＣＭコンテンツの動画ファイルを返信する処理を実行させるプログラムが提供される。
【００１３】
また、本発明によれば、
放送コンテンツが再生される本編枠と、第１のＣＭ管理者が管理するＣＭコンテンツが再生される第１の枠及び第２のＣＭ管理者が管理するＣＭコンテンツが再生される第２の枠を含むＣＭ枠とを含む動画コンテンツの視聴要求を受信する視聴要求受信手段と、
前記視聴要求受信手段が前記視聴要求を受信すると、前記放送コンテンツの動画ファイルを配信する放送コンテンツ配信装置のアドレス情報、及び、前記ＣＭコンテンツの動画ファイルを配信するＣＭ配信装置のアドレス情報を含み、さらに、前記放送コンテンツ及び前記ＣＭコンテンツの再生順と前記第１の枠及び前記第２の枠の長さとを定めたコンテンツ情報を返信する返信手段と、
を有し、
前記返信手段は、前記視聴要求受信手段が前記視聴要求を受信すると、当該視聴要求に応じて視聴時間を取得し、当該視聴時間に応じた長さの前記第１の枠及び前記第２の枠が定められた前記コンテンツ情報を返信する管理装置が提供される。
【００１４】
また、本発明によれば、
コンピュータが、
視聴時間帯ごとにスポンサーがついている放送コンテンツの視聴要求を受信する視聴要求受信工程と、
前記視聴要求受信工程で前記視聴要求を受信すると、前記放送コンテンツの動画ファイルを配信する放送コンテンツ配信装置のアドレス情報、及び、視聴時間における前記スポンサーのＣＭコンテンツの動画ファイルを配信するＣＭ配信装置のアドレス情報を含むコンテンツ情報を返信する返信工程と、
を実行し、
前記ＣＭ配信装置は、前記ＣＭコンテンツの動画ファイルの要求を受信すると、当該要求に応じて前記視聴時間を取得し、当該視聴時間における前記スポンサーの前記ＣＭコンテンツの動画ファイルを検索し、検索した前記ＣＭコンテンツの動画ファイルを返信する管理方法が提供される。
【００１５】
また、本発明によれば、
コンピュータを、
視聴時間帯ごとにスポンサーがついている放送コンテンツの視聴要求を受信する視聴要求受信手段、
前記視聴要求受信手段が前記視聴要求を受信すると、前記放送コンテンツの動画ファイルを配信する放送コンテンツ配信装置のアドレス情報、及び、視聴時間における前記スポンサーのＣＭコンテンツの動画ファイルを配信するＣＭ配信装置のアドレス情報を含むコンテンツ情報を返信する返信手段、
として機能させ、
前記ＣＭ配信装置は、前記ＣＭコンテンツの動画ファイルの要求を受信すると、当該要求に応じて前記視聴時間を取得し、当該視聴時間における前記スポンサーの前記ＣＭコンテンツの動画ファイルを検索し、検索した前記ＣＭコンテンツの動画ファイルを返信するプログラムが提供される。
【００１６】
また、本発明によれば、
コンピュータが、
放送コンテンツが再生される本編枠と、第１のＣＭ管理者が管理するＣＭコンテンツが再生される第１の枠及び第２のＣＭ管理者が管理するＣＭコンテンツが再生される第２の枠を含むＣＭ枠とを含む動画コンテンツの視聴要求を受信する視聴要求受信工程と、
前記視聴要求受信工程で前記視聴要求を受信すると、前記放送コンテンツの動画ファイルを配信する放送コンテンツ配信装置のアドレス情報、及び、前記ＣＭコンテンツの動画ファイルを配信するＣＭ配信装置のアドレス情報を含み、さらに、前記放送コンテンツ及び前記ＣＭコンテンツの再生順と前記第１の枠及び前記第２の枠の長さとを定めたコンテンツ情報を返信する返信工程と、
を実行し、
前記返信工程では、前記視聴要求受信工程で前記視聴要求を受信すると、当該視聴要求に応じて視聴時間を取得し、当該視聴時間に応じた長さの前記第１の枠及び前記第２の枠が定められた前記コンテンツ情報を返信する管理方法が提供される。
【００１７】
また、本発明によれば、
コンピュータを、
放送コンテンツが再生される本編枠と、第１のＣＭ管理者が管理するＣＭコンテンツが再生される第１の枠及び第２のＣＭ管理者が管理するＣＭコンテンツが再生される第２の枠を含むＣＭ枠とを含む動画コンテンツの視聴要求を受信する視聴要求受信手段、
前記視聴要求受信手段が前記視聴要求を受信すると、前記放送コンテンツの動画ファイルを配信する放送コンテンツ配信装置のアドレス情報、及び、前記ＣＭコンテンツの動画ファイルを配信するＣＭ配信装置のアドレス情報を含み、さらに、前記放送コンテンツ及び前記ＣＭコンテンツの再生順と前記第１の枠及び前記第２の枠の長さとを定めたコンテンツ情報を返信する返信手段、
として機能させ、
前記返信手段に、前記視聴要求受信手段が前記視聴要求を受信すると、当該視聴要求に応じて視聴時間を取得させ、当該視聴時間に応じた長さの前記第１の枠及び前記第２の枠が定められた前記コンテンツ情報を返信させるプログラムが提供される。
【発明の効果】
【００１８】
本発明によれば、放送コンテンツとＣＭコンテンツとを含む動画コンテンツをインターネットなどのネットワーク上で配信する際の新たな技術が実現される。
【図面の簡単な説明】
【００１９】
【図１】本実施形態の装置のハードウエア構成の一例を概念的に示す図である。
【図２】本実施形態の放送コンテンツ配信システムを示す機能ブロック図の一例である。
【図３】本実施形態の管理装置の機能ブロック図の一例である。
【図４】本実施形態の動画コンテンツを説明するための図である。
【図５】本実施形態のコンテンツ情報の概念を説明するための図である。
【図６】本実施形態の第１のＣＭ配信装置の機能ブロック図の一例である。
【図７】本実施形態のスポンサー情報の一例を模式的に示す図である。
【図８】本実施形態のＣＭ素材情報の一例を模式的に示す図である。
【図９】本実施形態の放送コンテンツ配信システムの処理の流れの一例を示すフロー図である。
【図１０】本実施形態の放送コンテンツ配信システムの処理の流れの一例を示すフロー図である。
【図１１】本実施形態の放送コンテンツ配信システムの処理の流れの一例を示すフロー図である。
【図１２】本実施形態の放送コンテンツ配信システムの処理の流れの一例を示すフロー図である。
【図１３】本実施形態の放送コンテンツ配信システムの概念を説明するための図である。
【図１４】本実施形態のＣＭ枠情報の一例を模式的に示す図である。
【図１５】本実施形態のコンテンツ情報の概念を説明するための図である。
【図１６】本実施形態の第２のＣＭ素材情報の一例を模式的に示す図である。
【図１７】時間帯と各放送コンテンツのコンテンツ情報とを対応付けた情報の一例を模式的に示す図である。
【発明を実施するための形態】
【００２０】
まず、本実施形態の装置のハードウエア構成の一例について説明する。本実施形態の装置が備える各部は、任意のコンピュータのＣＰＵ（Central Processing Unit）、メモリ、メモリにロードされるプログラム、そのプログラムを格納するハードディスク等の記憶ユニット（あらかじめ装置を出荷する段階から格納されているプログラムのほか、ＣＤ（Compact Disc）等の記憶媒体やインターネット上のサーバ等からダウンロードされたプログラムをも格納できる）、ネットワーク接続用インタフェイスを中心にハードウエアとソフトウエアの任意の組合せによって実現される。そして、その実現方法、装置にはいろいろな変形例があることは、当業者には理解されるところである。
【００２１】
図１は、本実施形態の装置のハードウエア構成の一例を概念的に示す図である。図示するように、本実施形態の装置は、例えば、バス１０Ａで相互に接続されるＣＰＵ１Ａ、ＲＡＭ（Random Access Memory）２Ａ、ＲＯＭ（Read Only Memory）３Ａ、表示制御部４Ａ、ディスプレイ５Ａ、操作受付部６Ａ、操作部７Ａ、通信部８Ａ、補助記憶装置９Ａ等を有する。なお、図示しないが、その他、外部機器と有線で接続される入出力インタフェイス、マイク、スピーカ等の他の要素を備えてもよい。
【００２２】
ＣＰＵ１Ａは各要素とともに装置のコンピュータ全体を制御する。ＲＯＭ３Ａは、コンピュータを動作させるためのプログラムや各種アプリケーションプログラム、それらのプログラムが動作する際に使用する各種設定データなどを記憶する領域を含む。ＲＡＭ２Ａは、プログラムが動作するための作業領域など一時的にデータを記憶する領域を含む。補助記憶装置９Ａは、例えばＨＤＤ（Hard Disc Drive）であり、大容量のデータを記憶可能である。
【００２３】
ディスプレイ５Ａは、例えば、表示装置（ＬＥＤ（Light Emitting Diode）表示器、液晶ディスプレイ、有機ＥＬ（Electro Luminescence）ディスプレイ等）である。ディスプレイ５Ａは、タッチパッドと一体になったタッチパネルディスプレイであってもよい。表示制御部４Ａは、ＶＲＡＭ（Video RAM）に記憶されたデータを読み出し、読み出したデータに対して所定の処理を施した後、ディスプレイ５Ａに送って各種画面表示を行う。操作受付部６Ａは、操作部７Ａを介して各種操作を受付ける。操作部７Ａは、操作キー、操作ボタン、スイッチ、ジョグダイヤル、タッチパネルディスプレイ、キーボードなどを含む。通信部８Ａは、有線及び／または無線で、インターネット、ＬＡＮ（Local Area Network）等のネットワークに接続し、他の電子機器と通信する。
【００２４】
以下、本実施の形態について説明する。なお、以下の実施形態の説明において利用する機能ブロック図は、ハードウエア単位の構成ではなく、機能単位のブロックを示している。これらの図においては、各装置は１つの機器により実現されるよう記載されているが、その実現手段はこれに限定されない。すなわち、物理的に分かれた構成であっても、論理的に分かれた構成であっても構わない。なお、同一の構成要素には同一の符号を付し、適宜説明を省略する。また、複数の装置間で送受信される各種情報（放送コンテンツ特定情報、ＣＭ特定情報等）は、各情報が示す所定の内容の同一性が維持されていればよく、複数の装置内で転送される途中でその構成が変形等されてもよい。
【００２５】
＜第１の実施形態＞
まず、本実施形態の放送コンテンツ配信システムの概要について説明する。放送コンテンツ配信システムは、放送コンテンツとＣＭコンテンツとを含む動画コンテンツをインターネットなどのネットワーク上で配信する。ユーザは、自分の好きなタイミングで当該動画コンテンツを視聴する。
【００２６】
なお、本実施形態では、放送コンテンツ単位でスポンサーがつくのでなく、放送コンテンツをさらに視聴時間帯毎に細分化し、各放送コンテンツの視聴時間帯毎にスポンサーがつく。
【００２７】
例えば、放送コンテンツ「クイズ○×△」の視聴時間帯「２３時〜５時」のスポンサーはＡ社、当該放送コンテンツの視聴時間帯「５時〜９時」のスポンサーはＢ社、当該放送コンテンツの視聴時間帯「９時〜１７時」のスポンサーはＣ社、当該放送コンテンツの視聴時間帯「１７時〜２３時」のスポンサーはＢ社といった具合である。
【００２８】
このため、放送コンテンツ配信システムは、ユーザが２３時〜５時の間に放送コンテンツ「クイズ○×△」を視聴している場合、所定のタイミングでＡ社のＣＭコンテンツが表示されるようにする。また、ユーザが９時〜１７時の間に放送コンテンツ「クイズ○×△」を視聴している場合、所定のタイミングでＣ社のＣＭコンテンツが表示されるようにする。そして、ユーザがその他の時間帯に放送コンテンツ「クイズ○×△」を視聴している場合、所定のタイミングでＢ社のＣＭコンテンツが表示されるようにする。本実施形態の放送コンテンツ配信システムは、このようなＣＭコンテンツの表示を実現する。
【００２９】
まず、図２の機能ブロック図を用いて、本実施形態の放送コンテンツ配信システムの全体像を説明する。放送コンテンツ配信システムは、管理装置２０と、放送コンテンツ配信装置３０と、第１のＣＭ配信装置４０と、第２のＣＭ配信装置５０とを有する。なお、第２のＣＭ配信装置５０を有さない構成としてもよい。これらの装置及びユーザ端末１０は、ネットワーク６０を介して互いに通信を行うことができる。なお、一部の装置間の通信は、近距離無線通信や、ケーブルを介した通信等とすることもできる。
【００３０】
図２においては、管理装置２０、放送コンテンツ配信装置３０、第１のＣＭ配信装置４０及び第２のＣＭ配信装置５０を別々に表示し、これらが論理的に分かれていることを示しているが、これらの装置の一部又は全部が物理的に一体となり、１つの装置で構成されていてもよい。
【００３１】
以下、本実施形態の放送コンテンツ配信システムにおける各装置の役割を簡単に説明する。
【００３２】
ユーザ端末１０は、放送コンテンツを視聴するユーザに使用される端末であり、例えば、ＰＣ（Personal Computer）、スマートフォン、タブレット端末、ネットワーク接続機能を有するテレビ、ゲーム機等が該当する。なお、ここでの例示に限定されない。ユーザ端末１０は、ユーザ操作に応じて所定の装置と通信し、動画ファイルを取得する機能、及び、取得した動画ファイルを実行し、動画コンテンツをディスプレイに表示する機能を有する。
【００３３】
管理装置２０は、放送コンテンツ及びＣＭコンテンツを含む動画コンテンツの配信を管理する。管理装置２０は、例えば、現在視聴可能な放送コンテンツの一覧情報をユーザ端末１０に提供する機能や、放送コンテンツの視聴要求をユーザ端末１０から受付ける機能等を有する。
【００３４】
放送コンテンツ配信装置３０は、放送コンテンツの動画ファイルを配信する。放送コンテンツ配信装置３０は、ユーザ端末１０からの要求に応じて所定の動画ファイルを返信する機能を有する。動画ファイルの配信方法としては、ストリーミング配信、ダウンロード配信、プログレッシブ配信等、様々な方法を採用できる。
【００３５】
第１のＣＭ配信装置４０は、第１のＣＭ管理者が管理するＣＭコンテンツの動画ファイルを配信する。第１のＣＭ管理者は、例えば、テレビ局である。第１のＣＭ管理者は、予め、各放送コンテンツの視聴時間帯毎のスポンサーを決定する。そして、決定した内容（各放送コンテンツの各視聴時間帯のスポンサーを示す情報）を、第１のＣＭ配信装置４０に記憶しておく。
【００３６】
第１のＣＭ配信装置４０は、ユーザ端末１０からＣＭコンテンツの要求があると、当該ユーザ端末１０で表示中の（又はこれから表示される）放送コンテンツの視聴時間におけるスポンサーのＣＭコンテンツの動画ファイルを返信する。詳細は、以下で説明する。動画ファイルの配信方法としては、ストリーミング配信、ダウンロード配信、プログレッシブ配信等、様々な方法を採用できる。
【００３７】
なお、「放送コンテンツの視聴時間」とは、ユーザが放送コンテンツを視聴する時間（時刻）を意味する。各ユーザは、自分の好きなタイミングで放送コンテンツを視聴する。このため、放送コンテンツの視聴時間は、各ユーザに視聴されるタイミングに応じて異なり得る。そして、上述の通り、放送コンテンツには、時間帯毎にスポンサーが付いている。「視聴時間におけるスポンサー」とは、視聴時間を含む時間帯のスポンサーを意味する。
【００３８】
第２のＣＭ配信装置５０は、第２のＣＭ管理者が管理するＣＭコンテンツの動画ファイルを配信する。第２のＣＭ管理者は、例えば、インターネット広告を管理するいわゆるメディアレップである。複数のＣＭコンテンツの動画ファイルが第２のＣＭ配信装置５０に記憶されていてもよい。
【００３９】
第２のＣＭ配信装置５０は、ユーザ端末１０からＣＭコンテンツの要求があると、予め定められた所定のルールに従い返信するＣＭコンテンツを決定し、決定したＣＭコンテンツの動画ファイルを返信する。例えば、第２のＣＭ配信装置５０は、視聴時間に対応したＣＭコンテンツの動画ファイルを返信する。動画ファイルの配信方法としては、ストリーミング配信、ダウンロード配信、プログレッシブ配信等、様々な方法を採用できる。
【００４０】
次に、図３を用いて、管理装置２０の構成を説明する。図３は、管理装置２０の機能ブロック図の一例を示す。図示するように、管理装置２０は、視聴要求受信部２１と、返信部２２とを有する。
【００４１】
視聴要求受信部２１は、視聴時間帯ごとにスポンサーがついている放送コンテンツの視聴要求をユーザ端末１０から受信する。なお、放送コンテンツには、所定のＣＭコンテンツが付随する。すなわち、放送コンテンツを再生すると、任意のタイミングで、付随するＣＭコンテンツが再生される。
【００４２】
例えば、視聴要求受信部２１は、ユーザ端末１０からの要求に応じて、放送コンテンツの視聴要求を受付けるための情報を返信する。放送コンテンツの視聴要求を受付けるための情報は、例えば、放送コンテンツの視聴要求を受付けるよう構成されたウェブページである。ユーザ端末１０は、受信した当該情報をディスプレイに表示する。
【００４３】
上記情報を表示した表示画面においては、例えば、視聴可能な１つ又は複数の放送コンテンツの属性情報（例：サムネイル画像、番組名、テレビ放送日、出演者、放送コンテンツの長さ等）が表示される。そして、ユーザ端末１０は、その中から、視聴対象として１つを選択する入力を受付ける。ユーザ端末１０は、１つを選択するユーザ入力を受付けると、選択された放送コンテンツを特定する情報（以下、放送コンテンツ特定情報）を含む視聴要求を管理装置２０に送信する。
【００４４】
視聴要求受信部２１は、例えばこのようにしてユーザ端末１０から送信されてきた視聴要求を受信する。上述の通り、視聴要求には、放送コンテンツ特定情報が含まれている。
【００４５】
ここで、本実施形態の放送コンテンツ配信システムで配信される動画コンテンツの構成について説明する。１つの動画コンテンツは、複数の動画ファイルで構成される。図４に示すように、１つの動画コンテンツは、ＣＭコンテンツ（番組ＣＭ、スポットＣＭ）及び放送コンテンツを含み、これらが所定の順に表示される（図の場合、左から順に）。放送コンテンツは、本編１及び本編２に分かれている。ＣＭコンテンツ（番組ＣＭ、スポットＣＭ）及び放送コンテンツ（本編１、本編２）を含む動画コンテンツは、複数の動画ファイルで構成される。複数の動画ファイルは、放送コンテンツ配信装置３０、第１のＣＭ配信装置４０及び第２のＣＭ配信装置５０に管理されている。そして、ユーザ端末１０は、１つの動画コンテンツを再生中、これら複数の装置から取得した複数の動画ファイルを連続的に実行することで、ＣＭコンテンツ（番組ＣＭ、スポットＣＭ）及び放送コンテンツ（本編１、本編２）を所定の順に表示する。
【００４６】
図示する「番組ＣＭ」は、第１のＣＭ配信装置４０により配信される。番組ＣＭは、各放送コンテンツの各視聴時間帯のスポンサーのＣＭコンテンツである。例えば、放送コンテンツ「クイズ○×△」を１３時に視聴した場合、番組ＣＭとして、放送コンテンツ「クイズ○×△」の当該視聴時間帯のスポンサーのＣＭコンテンツが表示される。
【００４７】
図示する「スポットＣＭ」は、第２のＣＭ配信装置５０により配信される。例えば、放送コンテンツ「クイズ○×△」を視聴した場合、スポットＣＭとして、第２のＣＭ配信装置５０が任意のルールに従い決定したＣＭコンテンツが表示される。
【００４８】
図示する「本編」は、放送コンテンツそのものであり、放送コンテンツ配信装置３０により配信される。
【００４９】
図３に戻り、返信部２２は、視聴要求受信部２１がユーザ端末１０から視聴要求を受信すると、放送コンテンツ配信装置３０のアドレス情報、第１のＣＭ配信装置４０のアドレス情報、及び、第２のＣＭ配信装置５０のアドレス情報を含むコンテンツ情報を返信する。コンテンツ情報では、放送コンテンツ及びＣＭコンテンツを含むコンテンツのプレイ順（表示順、再生順）が定められている。また、コンテンツ情報は、ユーザが選択した放送コンテンツを特定する情報（放送コンテンツ特定情報）を含む。
【００５０】
コンテンツ情報は、例えばＨＴＭＬファイルや、そこから呼び出される他のファイル等で構成される。ユーザ端末１０がコンテンツ情報を実行すると、所定の放送コンテンツ表示画面がディスプレイに表示される。放送コンテンツ表示画面は、動画が表示されるエリア（動画表示エリア）を含む。ユーザ端末１０は、コンテンツ情報に含まれる上記アドレス情報を順に利用し、所定の順で放送コンテンツ配信装置３０、第１のＣＭ配信装置４０及び第２のＣＭ配信装置５０に動画ファイルを要求する。そして、ユーザ端末１０は取得した動画ファイルを実行し、動画表示エリアに動画を表示する。
【００５１】
ここで、図５を用いて、コンテンツ情報の概念を説明する。図５に示すように、コンテンツ情報では、動画コンテンツに含まれる複数のコンテンツ（図の場合、番組ＣＭ、スポットＣＭ、本編１及び本編２）各々に対応付けて、アドレス情報が記載されている。アドレス情報は、各コンテンツを配信する装置、すなわち放送コンテンツ配信装置３０、第１のＣＭ配信装置４０及び第２のＣＭ配信装置５０のネットワーク６０上のアドレスである。
【００５２】
また、コンテンツ情報では、複数のコンテンツ（図の場合、番組ＣＭ、スポットＣＭ、本編１及び本編２）のプレイ順（表示順、再生順）、例えば、各コンテンツに対応付けられているアドレス情報の処理順が定められている。当該コンテンツ情報を実行したユーザ端末１０は、コンテンツ情報で定められている順にアドレス情報を利用し、動画ファイルを要求する。
【００５３】
ここで、ユーザ端末１０が、コンテンツ情報を実行し、放送コンテンツ配信装置３０、第１のＣＭ配信装置４０及び第２のＣＭ配信装置５０から動画ファイルを取得する処理について説明する。
【００５４】
最初に、放送コンテンツ配信装置３０から動画ファイルを取得する処理について説明する。
【００５５】
コンテンツ情報（図５参照）には、ユーザが視聴対象として選択した放送コンテンツを特定する情報（放送コンテンツ特定情報）が含まれる。例えば、放送コンテンツの名前やＩＤが含まれてもよいし、又は、放送コンテンツの動画ファイルの格納先が含まれてもよい。ユーザ端末１０は、当該放送コンテンツ特定情報を利用して、放送コンテンツ配信装置３０に、放送コンテンツ特定情報で特定される放送コンテンツの動画ファイルを要求する。
【００５６】
例えば、コンテンツ情報に含まれる放送コンテンツ配信装置３０のアドレス情報（図５の例の場合、本編１及び本編２に対応付けられているアドレス情報）は、ホストマシンの名前、及び、ユーザが選択した放送コンテンツの動画ファイルのパスを含むＵＲＬであってもよい。この場合、ユーザ端末１０は、放送コンテンツ配信装置３０に、当該パスで特定される動画ファイルを要求する。そして、放送コンテンツ配信装置３０は、要求された特定の放送コンテンツの動画ファイルを検索し、ユーザ端末１０に返信する。例えば、放送コンテンツ配信装置３０が複数の放送コンテンツの動画ファイルを記憶していてもよいし、放送コンテンツ配信装置３０からアクセス可能な他の外部装置が複数の放送コンテンツの動画ファイルを記憶していてもよい。なお、アドレス情報は、ＩＤ等の識別情報であってもよい。
【００５７】
次に、ユーザ端末１０が、第１のＣＭ配信装置４０から動画ファイルを取得する処理について説明する。
【００５８】
ユーザ端末１０は、コンテンツ情報に含まれる第１のＣＭ配信装置４０のアドレス情報（図５の例の場合、番組ＣＭに対応付けられているアドレス情報）を利用して、第１のＣＭ配信装置４０にＣＭコンテンツの動画ファイルを要求する。例えば、コンテンツ情報に含まれる第１のＣＭ配信装置４０のアドレス情報は、ホストマシンの名前、及び、要求に応じて返信するＣＭコンテンツの動画ファイルを決定し、決定した動画ファイルを返信するよう構成されたファイルのパスを含むＵＲＬであってもよい。ユーザ端末１０は、例えば、このファイルに、放送コンテンツ特定情報等を渡すとともに、動画ファイルを要求する。
【００５９】
ここで、第１のＣＭ配信装置４０の構成について説明する。図６に、第１のＣＭ配信装置４０の機能ブロック図の一例を示す。図示するように、第１のＣＭ配信装置４０は、ＣＭ要求受信部４１と、ＣＭ返信部４２とを有する。
【００６０】
ＣＭ要求受信部４１は、視聴時間帯ごとにスポンサーがついている放送コンテンツに付随して表示されるＣＭコンテンツ（番組ＣＭ）の動画ファイルの要求をユーザ端末１０から受信する。また、ＣＭ要求受信部４１は、ユーザにより選択された放送コンテンツを特定する放送コンテンツ特定情報をユーザ端末１０から取得する。ユーザ端末１０は、例えば、コンテンツ情報に含まれる放送コンテンツ特定情報を用いて、ＣＭ要求受信部４１への放送コンテンツ特定情報の送信を実現する。
【００６１】
ＣＭ返信部４２は、ＣＭ要求受信部４１が上記要求を受信すると、当該要求に応じて返信するＣＭコンテンツの動画ファイルを決定する。まず、ＣＭ返信部４２は、当該要求に応じて、視聴時間を取得する。例えば、ＣＭ返信部４２は、ＣＭ要求受信部４１による当該要求の受信に応じ、現在時間（現在時刻）を視聴時間として取得してもよい。その他、ユーザ端末１０がユーザから所定の動画ファイルの視聴要求の入力を受付けた後に、ユーザ端末１０又は管理装置２０が任意のタイミングで現在時間を取得し、それを視聴時間としてもよい。そして、ＣＭ返信部４２は、任意の手段で、当該視聴時間を取得してもよい。
【００６２】
視聴時間を取得後、ＣＭ返信部４２は、放送コンテンツ特定情報で特定される放送コンテンツの、上記視聴時間におけるスポンサーのＣＭコンテンツの動画ファイルを検索し、検索したＣＭコンテンツの動画ファイルをユーザ端末１０に返信する。
【００６３】
例えば、ＣＭ返信部４２は、予め、放送コンテンツ各々の各時間帯のスポンサーを示すスポンサー情報を保持しておく。
【００６４】
図７に、スポンサー情報の一例を模式的に示す。図７の例では、放送コンテンツ名と、各放送コンテンツをネット上で配信する配信期間と、各放送コンテンツの各視聴時間帯のスポンサーとを対応付けている。図７に示す例では、「クイズ○×△」の配信期間は、２０１５年１月１日から２０１５年１月８日であり、第１の時間帯及び第３の時間帯のスポンサーはＡ社、第２の時間帯のスポンサーはＢ社であることが分かる。
【００６５】
なお、時間帯の分け方は任意であり、例えば、単純に１日（２４時間）を複数の時間帯に分けてもよい。その他、平日の７時から１７時、土日祝日の７時から１７時等のように、各日の属性をも考慮して、複数の時間帯に分けてもよい。
【００６６】
ＣＭ返信部４２は、例えば、取得した視聴時間と、放送コンテンツ特定情報で特定される放送コンテンツとをキーとしてスポンサー情報（図７参照）を検索し、当該放送コンテンツの当該視聴時間におけるスポンサーを特定する。その後、ＣＭ返信部４２は、特定したスポンサーに対応付けられている複数のＣＭコンテンツの中から、任意のルールに従い１つを決定する。そして、ＣＭ返信部４２は、決定したＣＭコンテンツの動画ファイルを検索し、ユーザ端末１０に返信する。例えば、第１のＣＭ配信装置４０が複数のＣＭコンテンツの動画ファイルを記憶していてもよいし、第１のＣＭ配信装置４０からアクセス可能な他の外部装置が複数のＣＭコンテンツの動画ファイルを記憶していてもよい。
【００６７】
なお、ＣＭ返信部４２は、図８に示すような、各時間帯に配信する各スポンサーのＣＭコンテンツ（ＣＭ素材）を対応付けたＣＭ素材情報を保持しておいてもよい。そして、ＣＭ返信部４２は、スポンサーを特定後、取得した視聴時間をキーとして特定したスポンサーに対応するＣＭ素材情報（図８参照）を検索し、当該視聴時間に対応するＣＭコンテンツ（ＣＭ素材）を、ユーザ端末１０に返信するＣＭコンテンツ（ＣＭ素材）として決定してもよい。その後、ＣＭ返信部４２は、決定したＣＭコンテンツ（ＣＭ素材）の動画ファイルをユーザ端末１０に返信する。
【００６８】
次に、ユーザ端末１０が、第２のＣＭ配信装置５０から動画ファイルを取得する処理について説明する。
【００６９】
ユーザ端末１０は、コンテンツ情報に含まれる第２のＣＭ配信装置５０のアドレス情報（図５の例の場合、スポットＣＭに対応付けられているアドレス情報）を利用して、第２のＣＭ配信装置５０にＣＭコンテンツの動画ファイルを要求する。例えば、コンテンツ情報に含まれる第２のＣＭ配信装置５０のアドレス情報は、ホストマシンの名前、及び、要求に応じて返信するＣＭコンテンツの動画ファイルを決定し、決定した動画ファイルを返信するよう構成されたファイルのパスを含むＵＲＬであってもよい。ユーザ端末１０は、例えば、このファイルに、動画ファイルを要求する。
【００７０】
第２のＣＭ配信装置５０は、当該要求を受信すると、配信するＣＭコンテンツを任意のルールに従い決定する。そして、第２のＣＭ配信装置５０は、決定したＣＭコンテンツの動画ファイルを検索し、ユーザ端末１０に返信する。例えば、第２のＣＭ配信装置５０が複数のＣＭコンテンツの動画ファイルを記憶していてもよいし、第２のＣＭ配信装置５０からアクセス可能な他の外部装置が複数のＣＭコンテンツの動画ファイルを記憶していてもよい。
【００７１】
ここで、第２のＣＭ配信装置５０が配信するＣＭコンテンツを決定するルールの一例を説明する。例えば、第２のＣＭ配信装置５０は、図１６に示すような、各時間帯に配信するＣＭコンテンツ（ＣＭ素材）を対応付けた第２のＣＭ素材情報を保持しておいてもよい。そして、第２のＣＭ配信装置５０は、視聴時間をキーとして第２のＣＭ素材情報（図１６参照）を検索し、当該視聴時間に対応するＣＭコンテンツ（ＣＭ素材）を、ユーザ端末１０に返信するＣＭコンテンツ（ＣＭ素材）として決定してもよい。その後、第２のＣＭ配信装置５０は、決定したＣＭコンテンツ（ＣＭ素材）の動画ファイルをユーザ端末１０に返信してもよい。なお、視聴時間を取得する手段は、第１のＣＭ配信装置４０と同様の手段を採用できる。
【００７２】
次に、図９及び図１０を用いて、本実施形態の放送コンテンツ配信システム及びユーザ端末１０の処理の流れの一例を説明する。
【００７３】
まず、図９に示すように、ユーザ端末１０は、ユーザから、所定の放送コンテンツを視聴する要求を受付ける（Ｓ２０）。
【００７４】
例えば、ユーザ端末１０を操作するユーザは、所定のウェブページ（例：各放送局のホームページや、放送コンテンツの配信を管理している会社のホームページ等）から、「放送コンテンツの視聴要求を受付けるための情報（例：ウェブページ）」を要求する。管理装置２０は当該要求に応じ、要求された情報（例：ウェブページ）を返信する。
【００７５】
ユーザ端末１０は、受信した情報をディスプレイに表示する。当該情報の表示画面においては、例えば、視聴可能な１つ又は複数の放送コンテンツの属性情報（例：サムネイル画像、番組名、テレビ放送日、出演者、放送コンテンツの長さ等）が表示される。ユーザ端末１０は、その中から、視聴対象として１つを選択する入力をユーザから受付ける。
【００７６】
Ｓ２０で視聴要求を受付けたユーザ端末１０は、選択された放送コンテンツの視聴要求を管理装置２０に送信する（Ｓ２１）。当該視聴要求には、選択された放送コンテンツを特定する放送コンテンツ特定情報が含まれる。
【００７７】
管理装置２０は、Ｓ２１の視聴要求に応じ、放送コンテンツ特定情報で特定される放送コンテンツに対応したコンテンツ情報、すなわち、当該放送コンテンツを特定する情報を含むコンテンツ情報を返信する（Ｓ２２）。コンテンツ情報には、放送コンテンツ配信装置３０、第１のＣＭ配信装置４０及び第２のＣＭ配信装置５０のアドレス情報、各コンテンツ（ＣＭ、本編）のプレイ順、及び、放送コンテンツ特定情報等が含まれる。
【００７８】
ユーザ端末１０は、受信したコンテンツ情報を実行し、放送コンテンツ表示画面をディスプレイに表示する。放送コンテンツ表示画面は、動画が表示される動画表示エリアを含む。また、ユーザ端末１０は、コンテンツ情報に含まれる放送コンテンツ配信装置３０、第１のＣＭ配信装置４０及び第２のＣＭ配信装置５０のアドレス情報を順に利用して、これら装置から動画ファイルを取得する。そして、ユーザ端末１０は、取得した動画ファイルを実行し、動画表示エリアに動画を表示する（Ｓ２３）。
【００７９】
次に、図１０を用いて、ユーザ端末１０によるＳ２３の処理について説明する。
【００８０】
ユーザ端末１０は、受信したコンテンツ情報（図５参照）で定められる順に、コンテンツ情報に含まれるアドレス情報を用いて、所定の装置（動画配信サーバ）に動画ファイルを要求する。ユーザ端末１０が、放送コンテンツ配信装置３０、第１のＣＭ配信装置４０及び第２のＣＭ配信装置５０から動画ファイルを取得する処理の詳細は上述したので、ここでは省略する。
【００８１】
図１０の場合、まず、ユーザ端末１０は、最初のアドレス情報（図中、番組ＣＭに対応付けられたアドレス情報）を用いて、第１のＣＭ配信装置４０に動画ファイルを要求する。当該要求には、放送コンテンツ特定情報が含まれる。すると、第１のＣＭ配信装置４０は、放送コンテンツ特定情報、及び、視聴時間に基づき、返信する動画ファイルを決定する。なお、第１のＣＭ配信装置４０は、放送コンテンツ特定情報で特定される放送コンテンツの、当該視聴時間におけるスポンサーのＣＭコンテンツの動画ファイルを、返信する動画ファイルとして決定する。そして、第１のＣＭ配信装置４０は、決定した動画ファイルをユーザ端末１０に返信する。
【００８２】
第１のＣＭ配信装置４０から動画ファイルを受信したユーザ端末１０は、当該動画ファイルを実行し、動画表示エリアに番組ＣＭを表示する。
【００８３】
また、ユーザ端末１０は、任意のタイミングで、次のアドレス情報（図中、スポットＣＭに対応付けられたアドレス情報）を用いて、第２のＣＭ配信装置５０に動画ファイルを要求する。すると、第２のＣＭ配信装置５０は、任意のルールに従い、返信する動画ファイルを決定する。例えば、第２のＣＭ配信装置５０は、視聴時間に対応したＣＭコンテンツの動画ファイルを、返信する動画ファイルとして決定する。そして、第２のＣＭ配信装置５０は、決定した動画ファイルをユーザ端末１０に返信する。
【００８４】
第２のＣＭ配信装置５０から動画ファイルを受信したユーザ端末１０は、任意のタイミングで当該動画ファイルを実行し、番組ＣＭに続いて、スポットＣＭを動画表示エリアに表示する。
【００８５】
また、ユーザ端末１０は、任意のタイミングで、次のアドレス情報（図中、本編１に対応付けられたアドレス情報）を用いて、放送コンテンツ配信装置３０に、特定の動画ファイルを要求する。すると、放送コンテンツ配信装置３０は、要求された特定の動画ファイルを検索し、ユーザ端末１０に返信する。
【００８６】
放送コンテンツ配信装置３０から動画ファイルを受信したユーザ端末１０は、任意のタイミングで当該動画ファイルを実行し、番組ＣＭ、スポットＣＭに続いて、本編１（放送コンテンツ）を動画表示エリアに表示する。
【００８７】
以降、ユーザ端末１０は、同様の処理を繰り返す。
【００８８】
以上説明した本実施形態によれば、視聴時間帯ごとにスポンサーがついている放送コンテンツの視聴時間に応じて、当該視聴時間のスポンサーのＣＭコンテンツ（番組ＣＭ）を表示することが可能となる。すなわち、視聴時間に応じたＣＭコンテンツの配信が実現される。
【００８９】
例えば、スポンサーは、放送コンテンツ丸ごとスポンサーになるのでなく、自社に適した時間帯のみスポンサーになることができる。この場合、スポンサーは、自社が望む時間帯のみに自社のＣＭコンテンツを表示し、自社が望まない時間帯には自社のＣＭコンテンツを表示しないようにできる。このように、自社が望まない時間帯に自社のＣＭコンテンツを表示しないようにすることで、例えばトータルのスポンサー料を減らせるなどの効果が期待できる。なお、ＣＭ効果が高い時間帯には自社のＣＭコンテンツを表示することができるので、十分なＣＭ効果を得ることができる。結果、例えば高い費用対効果（スポンサー料に対するＣＭ効果）を実現できる。
【００９０】
また、視聴時間に対応したＣＭコンテンツ（ＣＭ素材）を表示できる本実施形態によれば、スポンサーは、より細やかなＣＭ戦略を立てることができる。例えば、多種多様な商品を扱うスポンサーの場合、商品ごとにターゲット層が異なり得る。本実施形態によれば、スポンサーは、ターゲット層が視聴している可能性が高い時間帯に、ターゲット層向けの商品のＣＭコンテンツを表示することができる。結果、高いＣＭ効果が期待できる。
【００９１】
＜第２の実施形態＞
第１の実施形態では、第１のＣＭ配信装置４０が視聴時間のスポンサーを特定し、特定したスポンサーのＣＭコンテンツの動画ファイルを返信していた。これに対し、本実施形態では、管理装置２０が、同等の処理を行う。本実施形態の第１のＣＭ配信装置４０は、放送コンテンツ配信装置３０同様、要求された特定の動画ファイルを検索し、ユーザ端末１０に返信するよう構成される。
【００９２】
本実施形態の放送コンテンツ配信システムの機能ブロック図は、第１の実施形態同様、図２で示される。放送コンテンツ配信装置３０、第２のＣＭ配信装置５０及びネットワーク６０の構成は、第１の実施形態と同様である。
【００９３】
管理装置２０の機能ブロック図の一例は、第１の実施形態同様、図３で示される。視聴要求受信部２１の構成は、第１の実施形態と同様である。
【００９４】
返信部２２は、視聴要求受信部２１が視聴要求を受信すると、当該視聴要求に応じて視聴時間を取得する。例えば、返信部２２は、視聴要求受信部２１による視聴要求の受信に応じ、現在時間を視聴時間として取得してもよい。また、返信部２２は、視聴要求受信部２１がユーザ端末１０から受信した放送コンテンツ特定情報を取得する。
【００９５】
その後、返信部２２は、放送コンテンツ特定情報で特定される放送コンテンツの当該視聴時間におけるスポンサーを特定する。そして、特定したスポンサーのＣＭコンテンツを、当該ユーザが選択した放送コンテンツを視聴中に表示するＣＭコンテンツとして決定する。なお、返信部２２は、特定したスポンサーの当該視聴時間におけるＣＭコンテンツを、当該ユーザが選択した放送コンテンツを視聴中に表示するＣＭコンテンツとして決定してもよい。返信部２２によるこれらの処理は、第１の実施形態で説明した第１のＣＭ配信装置４０のＣＭ返信部４２と同様にして実現される。返信部２２は、上述のようにして決定したＣＭコンテンツを特定するＣＭ特定情報をユーザ端末１０に返信する。
【００９６】
このように、返信部２２は、ユーザが選択した放送コンテンツの再生時に表示される番組ＣＭを、当該放送コンテンツ及び視聴時間に基づいて決定する。そして、返信部２２は、決定したＣＭコンテンツ（番組ＣＭ）を特定するＣＭ特定情報をユーザ端末１０に返信する。
【００９７】
ここで、ＣＭ特定情報について説明する。ＣＭ特定情報の構成、及び、ユーザ端末１０と管理装置２０間での送受信の方法は設計的事項である。例えば、コンテンツ情報（図５参照）に含まれる第１のＣＭ配信装置４０のアドレス情報（図５の例の場合、番組ＣＭに対応付けられているアドレス情報）は、ホストマシンの名前、及び、返信部２２が決定したＣＭコンテンツ（番組ＣＭ）の動画ファイルのパス（ＣＭ特定情報）を含むＵＲＬであってもよい。例えば、返信部２２は、予め、ＣＭコンテンツごとに、各々を特定するＣＭ特定情報を保持しておく。そして、返信部２２は、当該情報から所定のＣＭ特定情報を抽出して返信することで、決定したＣＭコンテンツのＣＭ特定情報をユーザ端末１０に返信する処理を実現する。
【００９８】
変形例として、返信部２２は、予め、放送コンテンツ毎に、各時間帯に対応したコンテンツ情報を保持しておいてもよい（図１７参照）。各放送コンテンツの各時間帯に対応したコンテンツ情報は、各時間帯のスポンサーのＣＭコンテンツ、または、各時間帯のスポンサーの各時間帯に対応したＣＭコンテンツを特定するＣＭ特定情報が含まれている。そして、返信部２２は、上記視聴要求に応じて視聴時間を取得すると、当該視聴時間に対応したコンテンツ情報をユーザ端末１０に返信する。上記例では、視聴要求があるたびに、返信部２２が、配信するＣＭコンテンツを決定し、決定したＣＭコンテンツを特定するＣＭ特定情報を含むコンテンツ情報を生成していた。これに対し、当該例では、予め各時間帯に対応したコンテンツ情報を生成しておく点で異なる。
【００９９】
次に、本実施形態のユーザ端末１０が、第１のＣＭ配信装置４０から動画ファイルを取得する処理について説明する。なお、ユーザ端末１０が放送コンテンツ配信装置３０及び第２のＣＭ配信装置５０から動画ファイルを取得する処理は、第１の実施形態と同様である。
【０１００】
上述の通り、本実施形態のコンテンツ情報（図５参照）には、返信部２２が決定したＣＭコンテンツを特定するＣＭ特定情報が含まれる。例えば、コンテンツ情報（図５参照）に含まれる第１のＣＭ配信装置４０のアドレス情報（図５の例の場合、番組ＣＭに対応付けられているアドレス情報）は、ホストマシンの名前、及び、返信部２２が決定したＣＭコンテンツの動画ファイルのパス（ＣＭ特定情報）を含むＵＲＬであってもよい。ユーザ端末１０は、当該パスで特定される動画ファイルを第１のＣＭ配信装置４０に要求する。そして、第１のＣＭ配信装置４０は、要求された特定の放送コンテンツの動画ファイルを検索し、ユーザ端末１０に返信する。
【０１０１】
次に、図１１及び図１２を用いて、本実施形態の放送コンテンツ配信システム及びユーザ端末１０の処理の流れの一例を説明する。
【０１０２】
まず、図１１に示すように、ユーザ端末１０は、ユーザから、所定の放送コンテンツを視聴する要求を受付ける（Ｓ１０）。すると、ユーザ端末１０は、選択された放送コンテンツの視聴要求を管理装置２０に送信する（Ｓ１１）。当該視聴要求には、選択された放送コンテンツを特定する放送コンテンツ特定情報が含まれる。Ｓ１０及びＳ１１の処理は、第１の実施形態で説明した図９のＳ２０及びＳ２１と同様である。
【０１０３】
管理装置２０は、Ｓ１１の視聴要求に応じ、放送コンテンツ特定情報で特定される放送コンテンツ及び視聴時間に対応したコンテンツ情報、すなわち、当該放送コンテンツを特定する情報、及び、返信部２２が決定したＣＭコンテンツを特定するＣＭ特定情報を含むコンテンツ情報を返信する（Ｓ１２）。コンテンツ情報には、放送コンテンツ配信装置３０、第１のＣＭ配信装置４０及び第２のＣＭ配信装置５０のアドレス情報、各コンテンツ（ＣＭ、本編）の再生順、ユーザが選択した放送コンテンツを特定する情報（放送コンテンツ特定情報）、及び、表示される番組ＣＭを特定する情報（ＣＭ特定情報）が含まれる。
【０１０４】
例えば、返信部２２は、Ｓ１１の視聴要求に応じて、放送コンテンツ特定情報、及び、視聴時間を取得する。その後、返信部２２は、放送コンテンツ特定情報及び取得した視聴時間に基づいて、放送コンテンツ特定情報で特定される放送コンテンツの当該視聴時間におけるスポンサーを特定する。そして、当該スポンサーの任意のＣＭコンテンツを特定するＣＭ特定情報を含むコンテンツ情報を生成し、ユーザ端末１０に返信する。なお、返信部２２は、特定したスポンサーの当該視聴時間に対応するＣＭコンテンツを特定するＣＭ特定情報を、ユーザ端末１０に返信してもよい。
【０１０５】
変形例として、予め、放送コンテンツ毎に、各時間帯に対応したコンテンツ情報を保持している場合、返信部２２は、放送コンテンツ特定情報で特定される放送コンテンツの当該視聴時間に対応したコンテンツ情報を取り出し、ユーザ端末１０に返信してもよい。
【０１０６】
ユーザ端末１０は、受信したコンテンツ情報を実行し、所定の放送コンテンツ表示画面をディスプレイに表示する。また、ユーザ端末１０は、コンテンツ情報に含まれる放送コンテンツ配信装置３０、第１のＣＭ配信装置４０及び第２のＣＭ配信装置５０のアドレス情報を利用して、これら装置から動画ファイルを取得し、放送コンテンツ表示画面が有する動画表示エリアに動画を表示する（Ｓ１３）。
【０１０７】
次に、図１２を用いて、ユーザ端末１０によるＳ１３の処理について説明する。
【０１０８】
ユーザ端末１０は、受信したコンテンツ情報（図５参照）で定められる順に、コンテンツ情報に含まれるアドレス情報を用いて、所定の装置（動画配信サーバ）に動画ファイルを要求する。
【０１０９】
図１２の場合、まず、ユーザ端末１０は、最初のアドレス情報（図中、番組ＣＭに対応付けられたアドレス情報）を用いて、第１のＣＭ配信装置４０に動画ファイルを要求する。例えば、当該アドレス情報は、ホストマシンの名前、及び、返信部２２が決定したＣＭコンテンツの動画ファイルのパス（ＣＭ特定情報）を含むＵＲＬである。すると、第１のＣＭ配信装置４０は、要求された特定の動画ファイルを検索し、ユーザ端末１０に返信する。
【０１１０】
第１のＣＭ配信装置４０から動画ファイルを受信したユーザ端末１０は、当該動画ファイルを実行し、動画表示エリアに番組ＣＭを表示する。
【０１１１】
また、ユーザ端末１０は、任意のタイミングで、次のアドレス情報（図中、スポットＣＭに対応付けられたアドレス情報）を用いて、第２のＣＭ配信装置５０に動画ファイルを要求する。すると、第２のＣＭ配信装置５０は、返信する動画ファイルを任意のルールに基づいて決定する。そして、第２のＣＭ配信装置５０は、決定した動画ファイルをユーザ端末１０に返信する。
【０１１２】
第２のＣＭ配信装置５０から動画ファイルを受信したユーザ端末１０は、任意のタイミングで当該動画ファイルを実行し、番組ＣＭに続いて、スポットＣＭを動画表示エリアに表示する。
【０１１３】
また、ユーザ端末１０は、任意のタイミングで、次のアドレス情報（図中、本編１に対応付けられたアドレス情報）を用いて、放送コンテンツ配信装置３０に、特定の動画ファイルを要求する。すると、放送コンテンツ配信装置３０は、要求された特定の動画ファイルを検索し、ユーザ端末１０に返信する。
【０１１４】
放送コンテンツ配信装置３０から動画ファイルを受信したユーザ端末１０は、任意のタイミングで当該動画ファイルを実行し、番組ＣＭ、スポットＣＭに続いて、本編１（放送コンテンツ）を動画表示エリアに表示する。
【０１１５】
以降、ユーザ端末１０は、同様の処理を繰り返す。
【０１１６】
以上説明した本実施形態によれば、第１の実施形態と同様の処理を行うことができる。また、本実施形態の場合、第１のＣＭ配信装置４０は、ＣＭコンテンツの動画ファイルの要求があるごとに配信するＣＭコンテンツを決定して配信するのでなく、ユーザ端末１０から要求された特定のＣＭコンテンツの動画ファイルを検索し、返信するだけでよくなる。このため、第１のＣＭ配信装置４０の処理負担が軽減し、ユーザ端末１０による要求受信から動画ファイル返信までの時間を短くできる。結果、ユーザ端末１０による複数の動画ファイルの連続再生処理において、「次の動画ファイル待ち」という待ち時間を減らすことができる。
【０１１７】
＜第３の実施形態＞
本実施形態の動画コンテンツは、放送コンテンツが再生される本編枠と、ＣＭコンテンツが再生されるＣＭ枠とを含む。ＣＭ枠は、第１のＣＭ配信装置４０が配信するＣＭコンテンツ（番組ＣＭ）が再生される第１の枠と、第２のＣＭ配信装置５０が配信するＣＭコンテンツ（スポットＣＭ）が再生される第２の枠とを含む。
【０１１８】
本実施形態では、視聴時間に応じて、第１の枠及び第２の枠の長さを変えることができる。なお、放送コンテンツ毎に変えることもできる。本実施形態の放送コンテンツ配信システムは、第１の枠及び第２の枠の長さが視聴時間に応じた長さとなっている動画コンテンツを配信する。
【０１１９】
例えば、図１３に示すように、放送コンテンツ「クイズ○×△」を第１の時間帯に視聴した場合、番組ＣＭの長さは３０秒／ＣＭチャンスで、スポットＣＭの長さは１５秒／ＣＭチャンスである。また、放送コンテンツ「クイズ○×△」を第２の時間帯に視聴した場合、番組ＣＭの長さは１５秒／ＣＭチャンスで、スポットＣＭの長さは３０秒／ＣＭチャンスである。
【０１２０】
なお、ＣＭチャンスは、本編の前や、本編の間など、ＣＭコンテンツを挟むことができる箇所各々を指す。図４の例の場合、２つのＣＭチャンス、すなわち、本編１の前のＣＭチャンス１と、本編１と本編２の間のＣＭチャンス２とが存在する。
【０１２１】
なお、第１及び第２の実施形態では、放送コンテンツを視聴時間帯毎に細分化し、各放送コンテンツの視聴時間帯毎にスポンサーがついたが、本実施形態では、放送コンテンツ単位でスポンサーがつく。すなわち、視聴時間に関係なく、同じスポンサーがつく。
【０１２２】
本実施形態の放送コンテンツ配信システムは、このような放送コンテンツ及びＣＭコンテンツの配信を実現する。
【０１２３】
本実施形態の放送コンテンツ配信システムの機能ブロック図は、第１及び第２の実施形態同様、図２で示される。放送コンテンツ配信装置３０及びネットワーク６０の構成は、第１及び第２の実施形態と同様である。
【０１２４】
管理装置２０の機能ブロック図の一例は、第１及び第２の実施形態同様、図３で示される。視聴要求受信部２１の構成は、第１及び第２の実施形態と同様である。
【０１２５】
返信部２２は、視聴要求受信部２１が視聴要求を受信すると、視聴時間を取得する。そして、返信部２２は、視聴要求のあった放送コンテンツの視聴時間に対応した第１の枠及び第２の枠の長さを示す情報を含むコンテンツ情報を、ユーザ端末１０に返信する。本実施形態のコンテンツ情報は、このような情報を有する点で、第１及び第２のコンテンツ情報と異なるが、その他の構成は同様である。返信部２２が視聴時間を取得する手段は、第１及び第２の実施形態と同様である。
【０１２６】
例えば、返信部２２は、放送コンテンツ毎に、放送時間帯各々の第１の枠及び第２の枠の長さを定めたＣＭ枠情報を予め保持しておく。図１４にＣＭ枠情報の一例を模式的に示す。図示するＣＭ枠情報は、放送コンテンツ各々に、各放送コンテンツの配信期間と、各時間帯における第１の枠及び第２の枠の長さとを対応付けている。図示する第１の枠及び第２の枠の長さの単位は、「秒／ＣＭチャンス」である。
【０１２７】
そして、返信部２２は、視聴要求があった放送コンテンツと、取得した視聴時間と、上述したＣＭ枠情報とを利用して、第１の枠及び第２の枠の長さを決定する。そして、決定した内容を含むコンテンツ情報を生成し、ユーザ端末１０に返信する。
【０１２８】
なお、第２の実施形態で説明した通り、返信部２２は、予め、放送コンテンツ毎に、各時間帯に対応したコンテンツ情報を保持しておいてもよい（図１７参照）。各時間帯に対応したコンテンツ情報は、各放送コンテンツの各時間帯に対応した第１の枠及び第２の枠の長さを示す情報を含む。そして、返信部２２は、上記視聴要求に応じて視聴時間を取得すると、当該視聴時間に対応したコンテンツ情報をユーザ端末１０に返信する。
【０１２９】
図１５に、本実施形態のコンテンツ情報の概念を説明する。図５に示すコンテンツ情報と比べると、各ＣＭコンテンツ（番組ＣＭ、スポットＣＭ）に対応付けて、枠の長さを示す情報が付与されている点で異なる。図示する例の場合、カッコ内の数字（１５）が枠の時間（１５秒）を示す。図１５の例の場合、本編１の前のＣＭ枠の長さは３０秒であり、第１の枠（番組ＣＭ枠）の長さは１５秒であり、第２の枠（スポットＣＭ枠）の長さは１５秒であることが示されている。
【０１３０】
当該コンテンツ情報を受信したユーザ端末１０は、コンテンツ情報に含まれるアドレス情報を利用して各ＣＭコンテンツ（番組ＣＭ、スポットＣＭ）の動画ファイルを第１のＣＭ配信装置４０や第２のＣＭ配信装置５０に要求する際、各ＣＭコンテンツに対応付けられたＣＭコンテンツの長さを示す情報をも送信する。
【０１３１】
第１のＣＭ配信装置４０及び第２のＣＭ配信装置５０は、受信した情報で特定される長さのＣＭコンテンツを検索し、ユーザ端末１０に返信する。
【０１３２】
第１のＣＭ配信装置４０は、ＣＭコンテンツの動画ファイルの要求、ＣＭコンテンツの長さを示す情報に加えて、ユーザが選択した放送コンテンツを特定する放送コンテンツ特定情報を、ユーザ端末１０から受信する。
【０１３３】
その後、第１のＣＭ配信装置４０は、取得した放送コンテンツ特定情報で特定される放送コンテンツのスポンサーを特定する。例えば、第１のＣＭ配信装置４０は、放送コンテンツとスポンサーとを対応付けた対応情報を予め保持しており、当該対応情報を利用して、上記スポンサーの特定を実現してもよい。
【０１３４】
第１のＣＭ配信装置４０は、スポンサーを特定後、特定したスポンサーのＣＭコンテンツの中から、受信した情報で特定される長さのＣＭコンテンツを検索し、そのＣＭコンテンツを配信するＣＭコンテンツとして決定する。例えば、第１のＣＭ配信装置４０は、スポンサーごとに、各スポンサーのＣＭコンテンツ、及び、その長さを示した情報を保持しておいてもよい。そして、第１のＣＭ配信装置４０は、当該情報を利用して、所定長さのＣＭコンテンツの検索を実現してもよい。なお、複数のＣＭコンテンツの合計長さで特定された長さを満たしてもよいし、１本のＣＭコンテンツで特定された長さを満たしてもよい。
【０１３５】
第２のＣＭ配信装置５０は、上記要求を受信すると、任意のルールに従い、受信した情報で特定される長さのＣＭコンテンツを検索し、そのＣＭコンテンツを配信するＣＭコンテンツとして決定する。例えば、第２のＣＭ配信装置５０は、予め、複数のＣＭコンテンツ各々の長さを示す情報を保持しておいてもよい。そして、第２のＣＭ配信装置５０は、当該情報を利用して、所定長さのＣＭコンテンツの検索を実現してもよい。なお、複数のＣＭコンテンツの合計長さで特定された長さを満たしてもよいし、１本のＣＭコンテンツで特定された長さを満たしてもよい。
【０１３６】
なお、上記例では、第１のＣＭ配信装置４０が第１の枠の長さに合ったＣＭコンテンツを検索し、そのＣＭコンテンツを配信するＣＭコンテンツとして決定した。変形例として、管理装置２０が、予め、第１の枠で表示するＣＭコンテンツを決定し、コンテンツ情報に決定したＣＭコンテンツを特定する情報（ＣＭ特定情報）を含めてもよい。ＣＭ特定情報は、第２の実施形態で説明した通りであるので、ここでの説明は省略する。管理装置２０は、例えば上述した第１のＣＭ配信装置４０と同様の手段で、第１の枠の長さに合ったＣＭコンテンツを検索し、そのＣＭコンテンツを配信するＣＭコンテンツとして決定することができる。
【０１３７】
以上説明した本実施形態によれば、視聴時間に応じて、放送コンテンツのスポンサーのＣＭコンテンツ（番組ＣＭ）の枠（第１の枠）を増やしたり、減らしたりできる。例えば、スポンサーにとって高いＣＭ効果が得られる時間帯や、スポンサーがＣＭコンテンツを表示したい時間帯等には、スポンサーのＣＭコンテンツ（番組ＣＭ）の枠（第１の枠）を増やすことができる。また、スポンサーにとってＣＭ効果が期待できない時間帯や、スポンサーがＣＭコンテンツを表示したくない時間帯等には、スポンサーのＣＭコンテンツ（番組ＣＭ）の枠（第１の枠）を減らすことができる。所定の時間帯におけるスポンサーのＣＭコンテンツ（番組ＣＭ）の枠（第１の枠）を減らした分、スポンサーは費用を減らすことができる。このようにすることで、高い費用対効果（スポンサー料に対するＣＭ効果）を期待できる。
【０１３８】
一方、放送コンテンツを配信する側は、スポンサーのＣＭコンテンツ（番組ＣＭ）を表示しないＣＭ枠に、他のＣＭコンテンツ（スポットＣＭ）を表示することで、ＣＭ配信による収入を効果的に得ることができる。
【０１３９】
以上説明した第１乃至第３の実施形態では、動画コンテンツ内で放送コンテンツが複数に分かれている場合（図４の例の場合、本編１及び本編２）、各々が異なる動画ファイルとして放送コンテンツ配信装置３０に管理される例を説明した。変形例として、放送コンテンツ配信装置３０は、それらを１つの動画ファイルとして管理してもよい。この場合、ユーザ端末１０は、放送コンテンツの動画ファイルを所定の停止位置（図４の例の場合、本編１の終了位置）まで再生したら停止し、所定のＣＭの動画ファイルを実行して所定のＣＭを再生する。そして、ＣＭの動画ファイルの再生が終了すると、再び、ユーザ端末１０は、放送コンテンツの動画ファイルを上記停止位置から再生することとなる。コンテンツ情報は、コンテンツ情報を実行したユーザ端末１０がこのような処理を実行するよう構成される。
【０１４０】
以下、参考形態の例を付記する。
１．  視聴時間帯ごとにスポンサーがついている放送コンテンツの視聴要求を受信する視聴要求受信手段と、
前記視聴要求受信手段が前記視聴要求を受信すると、前記放送コンテンツの動画ファイルを配信する放送コンテンツ配信装置のアドレス情報、及び、視聴時間における前記スポンサーのＣＭ（commercial message）コンテンツの動画ファイルを配信するＣＭ配信装置のアドレス情報を含むコンテンツ情報を返信する返信手段と、
を有する管理装置。
２．  １に記載の管理装置において、
前記ＣＭ配信装置は、前記ＣＭコンテンツの動画ファイルの要求を受信すると、当該要求に応じて前記視聴時間を取得し、当該視聴時間における前記スポンサーの前記ＣＭコンテンツの動画ファイルを検索し、検索した前記ＣＭコンテンツの動画ファイルを返信する管理装置。
３．  ２に記載の管理装置において、
前記ＣＭ配信装置は、前記ＣＭコンテンツの動画ファイルの要求を受信すると、当該要求に応じて前記視聴時間を取得し、当該視聴時間における前記スポンサーの当該視聴時間に対応した前記ＣＭコンテンツの動画ファイルを検索し、検索した前記ＣＭコンテンツの動画ファイルを返信する管理装置。
４．  １に記載の管理装置において、前記視聴要求受信手段が
前記返信手段は、前記視聴要求受信手段が前記視聴要求を受信すると、当該視聴要求に応じて前記視聴時間を取得し、当該視聴時間における前記スポンサーを特定し、特定した前記スポンサーの前記ＣＭコンテンツを特定するＣＭ特定情報をさらに返信し、
前記ＣＭ配信装置は、前記ＣＭ特定情報及び前記ＣＭコンテンツの動画ファイルの要求を受信すると、前記ＣＭ特定情報で特定される前記ＣＭコンテンツの動画ファイルを返信する管理装置。
５．  ４に記載の管理装置において、
前記返信手段は、前記視聴要求受信手段が前記視聴要求を受信すると、当該視聴要求に応じて前記視聴時間を取得し、当該視聴時間における前記スポンサーを特定し、特定した前記スポンサーの当該視聴時間に対応した前記ＣＭコンテンツを特定する前記ＣＭ特定情報をさらに返信する管理装置。
６．  視聴時間帯ごとにスポンサーがついている放送コンテンツに付随して表示されるＣＭコンテンツの動画ファイルの要求を受信すると、当該要求に応じて視聴時間を取得し、当該視聴時間における前記スポンサーの前記ＣＭコンテンツの動画ファイルを返信するＣＭ配信装置。
７．  視聴時間帯ごとにスポンサーがついている放送コンテンツに付随して表示されるＣＭコンテンツの動画ファイルの要求を受信すると、当該要求に応じて視聴時間を取得し、当該視聴時間における前記スポンサーの当該視聴時間に対応した前記ＣＭコンテンツの動画ファイルを返信するＣＭ配信装置。
８．  放送コンテンツに付随して表示されるＣＭコンテンツの動画ファイルの要求を受信すると、当該要求に応じて視聴時間を取得し、当該視聴時間に対応する前記ＣＭコンテンツの動画ファイルを返信するＣＭ配信装置。
９．  放送コンテンツが再生される本編枠と、第１のＣＭ管理者が管理するＣＭコンテンツが再生される第１の枠及び第２のＣＭ管理者が管理するＣＭコンテンツが再生される第２の枠を含むＣＭ枠とを含む動画コンテンツの視聴要求を受信する視聴要求受信手段と、
前記視聴要求受信手段が前記視聴要求を受信すると、前記放送コンテンツの動画ファイルを配信する放送コンテンツ配信装置のアドレス情報、及び、前記ＣＭコンテンツの動画ファイルを配信するＣＭ配信装置のアドレス情報を含み、さらに、前記放送コンテンツ及び前記ＣＭコンテンツの再生順と前記第１の枠及び前記第２の枠の長さとを定めたコンテンツ情報を返信する返信手段と、
を有し、
前記返信手段は、前記視聴要求受信手段が前記視聴要求を受信すると、当該視聴要求に応じて視聴時間を取得し、当該視聴時間に応じた長さの前記第１の枠及び前記第２の枠が定められた前記コンテンツ情報を返信する管理装置。
１０．  コンピュータが、
視聴時間帯ごとにスポンサーがついている放送コンテンツの視聴要求を受信する視聴要求受信工程と、
前記視聴要求受信工程で前記視聴要求を受信すると、前記放送コンテンツの動画ファイルを配信する放送コンテンツ配信装置のアドレス情報、及び、視聴時間における前記スポンサーのＣＭコンテンツの動画ファイルを配信するＣＭ配信装置のアドレス情報を含むコンテンツ情報を返信する返信工程と、
を実行する管理方法。
１０−２．  １０に記載の管理方法において、
前記ＣＭ配信装置は、前記ＣＭコンテンツの動画ファイルの要求を受信すると、当該要求に応じて前記視聴時間を取得し、当該視聴時間における前記スポンサーの前記ＣＭコンテンツの動画ファイルを検索し、検索した前記ＣＭコンテンツの動画ファイルを返信する管理方法。
１０−３．  １０−２に記載の管理方法において、
前記ＣＭ配信装置は、前記ＣＭコンテンツの動画ファイルの要求を受信すると、当該要求に応じて前記視聴時間を取得し、当該視聴時間における前記スポンサーの当該視聴時間に対応した前記ＣＭコンテンツの動画ファイルを検索し、検索した前記ＣＭコンテンツの動画ファイルを返信する管理方法。
１０−４．  １０に記載の管理方法において、
前記返信工程では、前記視聴要求受信工程で前記視聴要求を受信すると、当該視聴要求に応じて前記視聴時間を取得し、当該視聴時間における前記スポンサーを特定し、特定した前記スポンサーの前記ＣＭコンテンツを特定するＣＭ特定情報をさらに返信し、
前記ＣＭ配信装置は、前記ＣＭ特定情報及び前記ＣＭコンテンツの動画ファイルの要求を受信すると、前記ＣＭ特定情報で特定される前記ＣＭコンテンツの動画ファイルを返信する管理方法。
１０−５．  １０−４に記載の管理方法において、
前記返信工程では、前記視聴要求受信工程で前記視聴要求を受信すると、当該視聴要求に応じて前記視聴時間を取得し、当該視聴時間における前記スポンサーを特定し、特定した前記スポンサーの当該視聴時間に対応した前記ＣＭコンテンツを特定する前記ＣＭ特定情報をさらに返信する管理方法。
１１．  コンピュータを、
視聴時間帯ごとにスポンサーがついている放送コンテンツの視聴要求を受信する視聴要求受信手段、
前記視聴要求受信手段が前記視聴要求を受信すると、前記放送コンテンツの動画ファイルを配信する放送コンテンツ配信装置のアドレス情報、及び、視聴時間における前記スポンサーのＣＭコンテンツの動画ファイルを配信するＣＭ配信装置のアドレス情報を含むコンテンツ情報を返信する返信手段、
として機能させるためのプログラム。
１１−２．  １１に記載のプログラムにおいて、
前記ＣＭ配信装置は、前記ＣＭコンテンツの動画ファイルの要求を受信すると、当該要求に応じて前記視聴時間を取得し、当該視聴時間における前記スポンサーの前記ＣＭコンテンツの動画ファイルを検索し、検索した前記ＣＭコンテンツの動画ファイルを返信するプログラム。
１１−３．  １１−２に記載のプログラムにおいて、
前記ＣＭ配信装置は、前記ＣＭコンテンツの動画ファイルの要求を受信すると、当該要求に応じて前記視聴時間を取得し、当該視聴時間における前記スポンサーの当該視聴時間に対応した前記ＣＭコンテンツの動画ファイルを検索し、検索した前記ＣＭコンテンツの動画ファイルを返信するプログラム。
１１−４．  １１に記載のプログラムにおいて、
前記返信手段に、前記視聴要求受信手段が前記視聴要求を受信すると、当該視聴要求に応じて前記視聴時間を取得させ、当該視聴時間における前記スポンサーを特定させ、特定した前記スポンサーの前記ＣＭコンテンツを特定するＣＭ特定情報をさらに返信させ、
前記ＣＭ配信装置は、前記ＣＭ特定情報及び前記ＣＭコンテンツの動画ファイルの要求を受信すると、前記ＣＭ特定情報で特定される前記ＣＭコンテンツの動画ファイルを返信するプログラム。
１１−５．  １１−４に記載のプログラムにおいて、
前記返信手段に、前記視聴要求受信手段が前記視聴要求を受信すると、当該視聴要求に応じて前記視聴時間を取得させ、当該視聴時間における前記スポンサーを特定させ、特定した前記スポンサーの当該視聴時間に対応した前記ＣＭコンテンツを特定する前記ＣＭ特定情報をさらに返信させるプログラム。
１２．  コンピュータが、
放送コンテンツが再生される本編枠と、第１のＣＭ管理者が管理するＣＭコンテンツが再生される第１の枠及び第２のＣＭ管理者が管理するＣＭコンテンツが再生される第２の枠を含むＣＭ枠とを含む動画コンテンツの視聴要求を受信する視聴要求受信工程と、
前記視聴要求受信工程で前記視聴要求を受信すると、前記放送コンテンツの動画ファイルを配信する放送コンテンツ配信装置のアドレス情報、及び、前記ＣＭコンテンツの動画ファイルを配信するＣＭ配信装置のアドレス情報を含み、さらに、前記放送コンテンツ及び前記ＣＭコンテンツの再生順と前記第１の枠及び前記第２の枠の長さとを定めたコンテンツ情報を返信する返信工程と、
を実行し、
前記返信工程では、前記視聴要求受信工程で前記視聴要求を受信すると、当該視聴要求に応じて視聴時間を取得し、当該視聴時間に応じた長さの前記第１の枠及び前記第２の枠が定められた前記コンテンツ情報を返信する管理方法。
１３．  コンピュータを、
放送コンテンツが再生される本編枠と、第１のＣＭ管理者が管理するＣＭコンテンツが再生される第１の枠及び第２のＣＭ管理者が管理するＣＭコンテンツが再生される第２の枠を含むＣＭ枠とを含む動画コンテンツの視聴要求を受信する視聴要求受信手段、
前記視聴要求受信手段が前記視聴要求を受信すると、前記放送コンテンツの動画ファイルを配信する放送コンテンツ配信装置のアドレス情報、及び、前記ＣＭコンテンツの動画ファイルを配信するＣＭ配信装置のアドレス情報を含み、さらに、前記放送コンテンツ及び前記ＣＭコンテンツの再生順と前記第１の枠及び前記第２の枠の長さとを定めたコンテンツ情報を返信する返信手段、
として機能させ、
前記返信手段に、前記視聴要求受信手段が前記視聴要求を受信すると、当該視聴要求に応じて視聴時間を取得させ、当該視聴時間に応じた長さの前記第１の枠及び前記第２の枠が定められた前記コンテンツ情報を返信させるプログラム。
【符号の説明】
【０１４１】
１Ａ    ＣＰＵ
２Ａ    ＲＡＭ
３Ａ    ＲＯＭ
４Ａ    表示制御部
５Ａ    ディスプレイ
６Ａ    操作受付部
７Ａ    操作部
８Ａ    通信部
９Ａ    補助記憶装置
１０Ａ  バス
１０    ユーザ端末
２０    管理装置
２１    視聴要求受信部
２２    返信部
３０    放送コンテンツ配信装置
４０    第１のＣＭ配信装置
４１    ＣＭ要求受信部
４２    ＣＭ返信部
５０    第２のＣＭ配信装置
６０    ネットワーク
【図１】
0006459605.tif 000002
【図２】
0006459605.tif 000003
【図３】
0006459605.tif 000004
【図４】
0006459605.tif 000005
【図５】
0006459605.tif 000006
【図６】
0006459605.tif 000007
【図７】
0006459605.tif 000008
【図８】
0006459605.tif 000009
【図９】
0006459605.tif 000010
【図１０】
0006459605.tif 000011
【図１１】
0006459605.tif 000012
【図１２】
0006459605.tif 000013
【図１３】
0006459605.tif 000014
【図１４】
0006459605.tif 000015
【図１５】
0006459605.tif 000016
【図１６】
0006459605.tif 000017
【図１７】
0006459605.tif 000018